(57)【要約】【課題】  冷間からの起動時にも排気経路中の結露の発生を抑えると共に未脱臭ガスの放出を抑えることができる有機性廃棄物処理装置の起動方法を提供する。【解決手段】  冷間からの起動時に、処理槽２内を加熱する処理槽ヒータ３と、処理槽２からの排ガスを脱臭処理するべく脱臭触媒３３を加熱する脱臭機ヒータ３２とを、処理槽２内の通風を行う各通風機１２，１７よりも先に起動し、処理槽２内及び脱臭触媒３３を昇温した後に、各通風機１２，１７を起動する。【選択図】  図１
2006289206.tif 000002
【特許請求の範囲】
【請求項１】
処理槽内の有機性廃棄物を好気性微生物の作用により分解処理する有機性廃棄物処理装置の起動方法において、
冷間からの起動時に、前記処理槽内を加熱するヒータと、前記処理槽からの排ガスを脱臭処理するべく脱臭触媒を加熱するヒータとを、前記処理槽内の通風を行う通風機よりも先に起動し、前記処理槽内及び脱臭触媒を昇温した後に、前記通風機を起動することを特徴とする有機性廃棄物処理装置の起動方法。
【請求項２】
前記各ヒータを起動後、前記処理槽内及び脱臭触媒が所定温度に達した後に、前記通風機を起動することを特徴とする請求項１に記載の有機性廃棄物処理装置の起動方法。
【請求項３】
前記各ヒータを起動後、所定時間が経過した後に、前記通風機を起動することを特徴とする請求項１に記載の有機性廃棄物処理装置の起動方法。
【発明の詳細な説明】
【技術分野】
【０００１】
この発明は、好気性微生物で分解処理可能な食品残渣や汚泥等を対象とした有機性廃棄物処理装置の起動方法に関する。
【背景技術】
【０００２】
従来から、上記装置の一つとしての生ごみ処理装置が知られている（例えば、特許文献１参照。）。
【特許文献１】特開２００２−２４８４４５号公報
【発明の開示】
【発明が解決しようとする課題】
【０００３】
上記生ごみ処理装置においては、処理槽内に生ごみを溜めた状態で運転を一時停止した後、処理槽内及び脱臭触媒が十分低温になった状態（冷間）から再起動するような場合も考えられる。
【０００４】
当該装置の運転停止時には、処理槽内の通風を行うための通風機の運転も停止することとなるが、このような場合においても生ごみの分解処理は進むため、処理槽内雰囲気の水分及び臭気の割合が高まることとなる。この状態からの再起動時には処理槽内からの排気経路中に結露が生じ易く、該排気経路の耐食性の面で好ましくない。また、排気経路上の排気フィルタが湿潤状態となり、粉塵等の固着による目詰まりを生じ易くなる。さらに、脱臭触媒における脱臭処理が不十分となって未脱臭ガスが大気に放出される場合がある。
そこでこの発明は、冷間からの起動時にも排気経路中の結露の発生を抑えると共に未脱臭ガスの放出を抑えることができる有機性廃棄物処理装置の起動方法を提供する。
【課題を解決するための手段】
【０００５】
上記課題の解決手段として、請求項１に記載した発明は、処理槽内の有機性廃棄物を好気性微生物の作用により分解処理する有機性廃棄物処理装置の起動方法において、冷間からの起動時に、前記処理槽内を加熱するヒータと、前記処理槽からの排ガスを脱臭処理するべく脱臭触媒を加熱するヒータとを、前記処理槽内の通風を行う通風機よりも先に起動し、前記処理槽内及び脱臭触媒を昇温した後に、前記通風機を起動することを特徴とする。
【０００６】
具体的には、請求項２に記載した発明のように、前記各ヒータを起動後、前記処理槽内及び脱臭触媒が所定温度に達した後に、前記通風機を起動すればよい。
【０００７】
又は、請求項３に記載した発明のように、前記各ヒータを起動後、所定時間が経過した後に、前記通風機を起動するようにしてもよい。
【０００８】
上記構成によれば、処理槽内が昇温した後に通風機が起動することで、排気経路中に結露が生じ難くなる。また、脱臭触媒が昇温した後に通風機が起動することで、排ガスの脱臭処理が十分になされる。
【発明の効果】
【０００９】
請求項１〜３に記載した発明によれば、排気経路の耐食性を向上させると共に、排気フィルタの湿潤による目詰まりを防止し、かつ未脱臭ガスの放出を抑えることができる。
【発明を実施するための最良の形態】
【００１０】
以下、この発明の実施例について図面を参照して説明する。
図１は、有機性廃棄物処理装置としての生ごみ処理装置１の構成図であり、本図に示すように、生ごみ処理装置１は、処理槽２内に投入された野菜くず等の生ごみを、好気性の微生物（発酵菌）と共に加熱、撹拌しながら分解処理する（発酵させる）よう構成されたものである。
【００１１】
処理槽２の例えば外周には、槽内の生ごみを加熱する処理槽ヒータ３が設けられると共に、処理槽２の例えば底部からは、槽内の生ごみ層Ｇ内に予熱した外気を導入可能とされる。また、処理槽２には、例えば所定時間毎に生ごみを撹拌する撹拌機４が設けられる。この撹拌機４は、処理槽２の略中央において上下に延びる駆動軸４ａを有し、該駆動軸４ａの外周に設けられた複数の撹拌羽根４ｂにより生ごみ層Ｇを撹拌可能である。
【００１２】
このような処理槽２内に生ごみを投入する際には、まず、バケット５内に一時投入された生ごみをリフト６で上昇させ、これを処理槽２上部のごみ投入口７（処理物投入口）より槽内に投入する。このとき、必要に応じて好気性微生物の着床材（菌床チップ）としてのおが屑等も併せて投入する。なお、ごみ投入口７は、リッド８により気密に閉塞可能とされる。そして、処理槽２内に投入された生ごみは、水分や二酸化炭素に分解されつつ減量し、該分解処理後に残った残渣は、不図示の排出口より槽外に排出される。
【００１３】
ここで、生ごみ処理装置１は、前述の如く処理槽２内に外気を導入すると共に、生ごみの分解処理中に発生した水分及び臭気を含んだガスを処理槽２外に排出するべく、該処理槽２内の通風を行う給排気システム１０を備えている。
【００１４】
この給排気システム１０は、処理槽２内からの排ガスの加熱及び脱臭処理を行うと共に、該脱臭処理後の排ガスが有する熱（排熱）を回収してこれを有効利用する熱交換システムとしても構成されている。
【００１５】
具体的には、給排気システム１０は、処理槽２からの排気経路１１上に加熱脱臭機３１及びガス−ガスヒータ４１（排気間熱交換器）を備え、ガス−ガスヒータ４１において加熱脱臭機３１を通過する前の排ガス（脱臭前ガス）と加熱脱臭機３１を通過した後の排ガス（脱臭後ガス）との間の熱交換を行うことで、脱臭前ガスを昇温（加熱）すると共に脱臭後ガスを降温（冷却）するようになっている。
【００１６】
また、給排気システム１０は、ガス−ガスヒータ４１よりも脱臭後ガス排出側の排気経路１１上であって処理槽２内の吸気経路１６上となる部位に、ガス−ガスヒータ４１からの脱臭後ガスと処理槽２導入前の外気との間の熱交換を行うガス−エアヒータ５１（給排気間熱交換器）を備え、該ガス−エアヒータ５１において前記熱交換を行うことで、脱臭後ガスをさらに降温すると共に処理槽２導入前の外気を昇温するようになっている。
【００１７】
排気経路１１上における処理槽２とガス−ガスヒータ４１との間となる部位には、処理槽２内のガスを吸引する誘引通風機１２（排気ファン）が設けられる。また、排気経路１１上における誘引通風機１２よりも排気上流側となる部位には、排ガス中の粉塵等を除去するための排気フィルタ１３が設けられる。
【００１８】
一方、ごみ投入口７及びバケット５の上方には、吸気経路１６の吸入側端に位置するフードカバー１８が、ごみ投入口７及びバケット５を上方から覆うように設けられる。このフードカバー１８とガス−エアヒータ５１との間に位置する吸気経路１６上には、処理槽２内に外気を導入する押込み通風機１７（ブロア）が設けられる。この押込み通風機１７の外気吸込み口１９は、フードカバー１８の内側に設けられている。
【００１９】
各通風機１２，１７の作動は、ＣＰＵ（Central Processing Unit）等の制御部（不図示）により、処理槽２内がやや負圧状態となるように制御される。これは、前記リッド８開時に、処理槽２内の臭気や粉埃がごみ投入口７から処理槽２外に漏れないようにするためである。
【００２０】
ところで、処理槽２内のおが屑等の菌床チップは、微生物の活性を良くするために一定水分を保つことが望ましく、菌床チップの状態に合わせて排気風量の調整を行う必要がある。このとき、単に風量を下げると処理槽２内の負圧が弱まり、槽外への臭気漏れの原因となるが、誘引通風機１２と押込み通風機１７とをダブルで調整することで、風量を下げても処理槽内負圧を一定に保つことができ、菌床チップの水分を調整しつつ臭気漏れを防止することが可能とされている。
【００２１】
加熱脱臭機３１は、処理槽２からの排ガスを加熱する脱臭機ヒータ３２と、該脱臭機ヒータ３２により加熱された排ガスを通過させて脱臭処理する白金等からなる脱臭触媒３３とを、単一のケーシング３４（図４参照）内に収容してなる。ケーシング３４は排気経路１１の一部を構成しており、該ケーシング３４内の排ガス流通方向上流側（排気上流側）に脱臭機ヒータ３２が、排ガス流通方向下流側（排気下流側）に脱臭触媒３３がそれぞれ配置される。
【００２２】
このような加熱脱臭機３１から排出される脱臭後ガス（脱臭触媒３３通過後の排ガス、３００〜４００℃）は比較的高温であり、この脱臭後ガスと脱臭前ガス（ヒータ投入前の排ガス、４０〜６０℃）との間の熱交換を行うことで、脱臭前ガスを効果的に昇温し、脱臭機ヒータ３２におけるエネルギー投入量を削減するようにしている。
【００２３】
一方で、処理槽２内に導入する外気に適した温度は比較的低温（９０〜１１０℃）であるため、ガス−ガスヒータ４１から排出される脱臭後ガス（１５０〜２００℃）でも十分昇温することが可能であり、かつ該脱臭後ガスを十分降温することが可能である。なお、排気経路１１中における結露を抑えるという観点から、最終的に大気に放出されるまでの間、排ガスの温度は露点以上であることが好ましい。
【００２４】
ここで、図２を併せて参照して説明すると、上記生ごみ処理装置１においては、処理槽２内に生ごみを溜めた状態で運転を一時中止した後、処理槽２及び加熱脱臭機３１（脱臭触媒３３）が十分低温になった状態から再起動するような場合を考慮し、このような場合においては、処理槽ヒータ３及び脱臭機ヒータ３２を各通風機１２，１７よりも先に起動し、処理槽２内及び脱臭触媒３３が所定の温度に昇温した後に、各通風機１２，１７を起動するようにしている。
【００２５】
すなわち、処理槽２は、その内部の雰囲気温度を検出する温度センサ２ａを有すると共に、加熱脱臭機３１は、脱臭触媒３３直前の雰囲気温度を該脱臭触媒３３の温度として検出する温度センサ３３ａを有し、これら各温度センサ２ａ，３３ａからの検出値に基づき、前記制御部が各通風機１２，１７の運転を制御すると共に、必要に応じて各ヒータ３，３２並びに撹拌機４等の運転を制御するようになっている。なお、加熱脱臭機３１の温度センサ３３ａは、脱臭触媒３３の温度を直接検出するものであってもよい。
【００２６】
次に、上記給排気システム１０の要部についてさらに説明する。
図３，４に示すように、給排気システム１０において、加熱脱臭機３１の前後には、これを挟み込むようにして各熱交換器４１，５１が配置され、これらが前記処理槽２上に一体的に搭載される。なお、図中矢印ＦＲは前方を、矢印ＬＨは左方をそれぞれ示すものとする。
【００２７】
加熱脱臭機３１における脱臭前ガスの流路３４ａ（排気経路１１）を形成するケーシング３４の前壁３５は、ガス−ガスヒータ４１における脱臭前ガスの流路４２ａ（排気経路１１）を形成するケーシング４２の後壁として、ケーシング３４の後壁３６は、ガス−エアヒータ５１における外気の流路５２ａ（吸気経路１６）を形成するケーシング５２の前壁としてそれぞれ構成される。
【００２８】
すなわち、ケーシング３４の前後壁３５，３６を隔壁として、加熱脱臭機３１及び各熱交換器４１，５１の各流路３４ａ，４２ａ，５２ａが仕切られている。
ケーシング３４は、左右方向に長い直方体状をなす箱型のもので、その内部左側（排気上流側）には脱臭機ヒータ３２が、内部右側（排気下流側）には脱臭触媒３３がそれぞれ配置される。
【００２９】
脱臭機ヒータ３２は、上下に長いＵ字状をなす電熱線３２ａを複数配列してなるもので、これら各電熱線３２ａ間を通過させることで脱臭前ガス及び脱臭触媒３３を加熱する。各電熱線３２ａの開放端側には端子部３２ｂが設けられ、これら各端子部３２ｂがケーシング３４の上壁３７左側に突設される。ここで、ケーシング３４の前後壁３５，３６が熱交換器隣接部であるのに対し、その上下壁及び左右側壁は熱交換器非隣接部であるといえる。
【００３０】
脱臭触媒３３は、例えば多孔構造を有する厚板状のもので、該脱臭触媒３３がケーシング３４内部を横断するように設けられることで、脱臭機ヒータ３２を通過し加熱した脱臭前ガスが漏れなく脱臭触媒３３を通過する。
【００３１】
ケーシング３４における前壁３５左側部には、ガス−ガスヒータ４１の脱臭前ガス排出口でもあるガス導入口３８が設けられる。このガス導入口３８を介して、ガス−ガスヒータ４１を通過し昇温した脱臭前ガスが、ケーシング３４内における脱臭機ヒータ３２よりも上流側となる部位に導入される。
【００３２】
また、ケーシング３４右側端はガス排出口３９として開口し、該ガス排出口３９から排出された脱臭後ガスが、右ウインドボックス２１を介してガス−ガスヒータ４１へ送給される。
【００３３】
各熱交換器４１，５１のケーシング４２，５２は、加熱脱臭機３１のそれとほぼ同一の箱型をなすもので、これらの内部には、左右方向と略直交する複数のバッフルプレート４３，５３により、排ガス又は外気を上下に往復させつつ左側又は右側に流通させる蛇行状の流路４２ａ，５２ａがそれぞれ形成される。
【００３４】
また、各熱交換器４１，５１のケーシング４２，５２内には、各バッフルプレート４３，５３を左右方向に沿って貫通する複数の伝熱管４４，５４がそれぞれ設けられ、各ケーシング４２，５２内に導入された排ガス又は外気が、各伝熱管４４，５４の間を通過するようにケーシング４２，５２内を流通することで、各伝熱管４４，５４の内外での熱交換が行われる。
【００３５】
各伝熱管４４，５４は、それぞれ各ケーシング４２，５２の両側端において開口しており、ガス−ガスヒータ４１においては、各伝熱管４４の右側開口が、右ウインドボックス２１を介して加熱脱臭機３１のガス排出口３９と連通すると共に、左側開口が、左ウインドボックス２２を介してガス−エアヒータ５１における各伝熱管５４の左開口と連通する。
【００３６】
ガス−ガスヒータ４１におけるケーシング４２の上壁右側部には、処理槽２からの脱臭前ガスをケーシング４２内に導入するためのガス導入管４５が突設される。このガス導入管４５からケーシング４２内に導入された脱臭前ガスは、各伝熱管４４を横断するように蛇行しながら左側に流通し、ガス導入口３８を介して加熱脱臭機３１のケーシング３４内に導入される。
【００３７】
ケーシング３４内において加熱及び脱臭処理がなされた脱臭後ガスは、右ウインドボックス２１を介してガス−ガスヒータ４１の各伝熱管４４内に導入されてその管内を流通することで、比較的低温の脱臭前ガスとの間で熱交換がなされてこれを加熱すると共に自身を冷却する。
【００３８】
各伝熱管４４を通過した脱臭後ガスは、左ウインドボックス２２を介してガス−エアヒータ５１の各伝熱管５４内に導入される。ここで、ガス−エアヒータ５１における上壁右側部には、フードカバー１８からの外気をケーシング５２内に導入するための外気導入管５５が突設されると共に、上壁左側部には、前記外気を排出するための外気排出管５６が突設されている。
【００３９】
そして、外気導入管５５からケーシング５２内に導入された外気は、各伝熱管５４を横断するように蛇行しながら左側に流通することで、各伝熱管５４内を流通する比較的高温の脱臭後ガスとの間で熱交換がなされてこれを冷却すると共に自身を加熱する。
【００４０】
ガス−エアヒータ５１のケーシング５２右端には膨張室２３が設けられており、各伝熱管５４を通過した脱臭後ガスは、膨張室２３内に排出された後に排気フード２４を介して大気に放出される。
【００４１】
以上説明したように、上記実施例における生ごみ処理装置１の起動方法は、処理槽２内の有機性廃棄物を好気性微生物の作用により分解処理する装置に適用されるものであって、冷間からの起動時に、処理槽２内を加熱する処理槽ヒータ３と、処理槽２からの排ガスを脱臭処理するべく脱臭触媒３３を加熱する脱臭機ヒータ３２とを、処理槽２内の通風を行う各通風機１２，１７よりも先に起動し、処理槽２内及び脱臭触媒３３を昇温した後に（具体的には処理槽２内及び脱臭触媒３３が所定温度に達した後に）、各通風機１２，１７を起動するものである。
【００４２】
この構成によれば、処理槽２内が昇温した後に各通風機１２，１７が起動することで、排気経路１１中に結露が生じ難くなる。また、脱臭触媒３３が昇温した後に各通風機１２，１７が起動することで、排ガスの脱臭処理が十分になされる。すなわち、排気経路１１の耐食性を向上させると共に、排気フィルタ１３の湿潤による目詰まりを防止し、かつ未脱臭ガスの放出を抑えることができる。
【００４３】
なお、この発明は上記実施例に限られるものではなく、例えば生ごみ処理装置以外にも、食品残渣及び汚泥等の有機性廃棄物を好気性微生物により分解処理する処理装置であれば適用可能である。
また、冷間からの起動時に、各ヒータ３，３２の起動と同時にタイマーを作動させ、所定時間が経過した後に、各通風機１２，１７を起動するようにしてもよい。
そして、上記実施例における構成はこの発明の一例であり、該発明の要旨を逸脱しない範囲で種々の変更が可能であることはいうまでもない。
【図面の簡単な説明】
【００４４】
【図１】この発明の実施例における生ごみ処理装置の構成図である。
【図２】上記生ごみ処理装置の冷間からの起動時の説明図である。
【図３】上記生ごみ処理装置の給排気システムの要部を示す斜視図である。
【図４】上記給排気システムの分解斜視図である。
【符号の説明】
【００４５】
１  生ごみ処理装置（有機性廃棄物処理装置）
２  処理槽
３  処理槽ヒータ（ヒータ）
１２  誘引通風機（通風機）
１７  押込み通風機（通風機）
３２  脱臭機ヒータ（ヒータ）
３３  脱臭触媒
【図１】
2006289206.tif 000003
【図２】
2006289206.tif 000004
【図３】
2006289206.tif 000005
【図４】
2006289206.tif 000006